(57)【要約】【課題】画像形成装置の生産性を高めつつ、内容の確認がなされずに設定漏れや、設定ミスがあるジョブが実行されても、用紙、電力、時間の無駄を極力減らす。【解決手段】画像形成装置（複合機）は、ジョブを実行するジョブ実行部と、使用者の設定入力と、実行中のジョブの中止を受け付ける操作部と、外部とデータの通信を行うための通信部を備え、実行されるジョブの内容を確認するための入力である内容確認入力を受け付ける入力部と、を含み、ジョブ実行部は、内容確認入力が入力部に入力されていないジョブを実行するとき、最初から予め定められた枚数まで、内容確認入力が入力部に入力されたジョブを実行するときよりも遅い速度でジョブを実行し、予め定められた枚数以降では、内容確認入力が入力部に入力されたジョブと同じ速度でジョブを実行する。【選択図】図６
2014216858.tif 000002
【特許請求の範囲】
【請求項１】
ジョブを実行するジョブ実行部と、
使用者の設定入力と、実行しているジョブの中止を受け付ける操作部と、外部とデータの通信を行うための通信部を備え、実行されるジョブの内容を確認するための入力である内容確認入力を受け付ける入力部と、を含み、
前記ジョブ実行部は、前記内容確認入力が前記入力部に入力されていないジョブを実行するとき、最初から予め定められた枚数まで、前記内容確認入力が前記入力部に入力されたジョブを実行するときよりも遅い速度でジョブを実行し、前記予め定められた枚数以降では、前記内容確認入力が前記入力部に入力されたジョブと同じ速度でジョブを実行することを特徴とする画像形成装置。
【請求項２】
用紙を搬送して用紙に印刷を行う印刷部と、載置された原稿を１枚ずつ自動的に搬送し原稿を読み取って画像データを生成する原稿読取部を前記ジョブ実行部として含み、
前記操作部は、表示部を含み、前記原稿読取部が読み取った原稿の画像データと前記操作部になされた設定内容に基づいて印刷を行うコピージョブの実行指示を受け付けるとともに、プレビュー表示指示を前記内容確認入力として受け付け、
前記操作部が前記プレビュー表示指示を受け付けたとき、
前記原稿読取部は原稿の読み取りを行い、
前記表示部は、コピージョブの実行開始前に前記原稿読取部が読み取った原稿の画像データと前記操作部になされた設定内容に基づいてコピージョブの実行結果を示す第１プレビュー画像を表示し、
前記印刷部は、前記実行指示がなされたとき、前記第１プレビュー画像を表示したジョブについては全ページを前記第１印刷速度で印刷し、前記第１プレビュー画像を表示していないジョブについては、最初から予め定められた印刷枚数を第２印刷速度で、残りのページを前記第１印刷速度で印刷し、
前記第１印刷速度は、前記第２印刷速度よりも速いことを特徴とする請求項１に記載の画像形成装置。
【請求項３】
用紙を搬送して用紙に印刷を行う印刷部を前記ジョブ実行部として含み、
前記通信部は、外部から送信された印刷内容を示すデータと印刷での設定データを含む印刷用データを受信し、
前記印刷部は、受信した前記印刷用データに基づく印刷ジョブにおいて、最初に印刷する１部を第２印刷速度で印刷を行い、２部以降では第１印刷速度で印刷を行い、
前記第１印刷速度は前記第２印刷速度よりも速いことを特徴とする請求項１又は２に記載の画像形成装置。
【請求項４】
データを記憶する記憶部を含み、
前記記憶部は、試し刷りの設定がなされた前記印刷用データを登録し、
前記操作部は、前記記憶部に登録された前記印刷用データを印刷する指示である保留データ印刷指示を受け付け、
前記印刷部は、前記通信部が試し刷りの設定がなされた前記印刷用データを受信したとき、受信した前記印刷用データに基づき前記第２印刷速度で１部目を印刷し、前記操作部が前記保留データ印刷指示を受け付けると、前記保留データ印刷指示に対応する前記印刷用データに基づき、前記第１印刷速度で２部目以降の印刷を行うことを特徴とする請求項３に記載の画像形成装置。
【請求項５】
前記印刷部は、用紙を供給する給紙部を含み、
前記給紙部と前記原稿搬送部は、異なるタイミングで用紙と原稿の送り出しを開始することを特徴とする請求項２乃至４の何れか１項に記載の画像形成装置。
【請求項６】
印刷動作時に回転させるファンを含み、
前記印刷部は、予め定められた前記第１印刷速度で印刷を実行する通常モードと、前記第１印刷速度よりも遅い前記第２印刷速度で印刷する静音モードを有し、
前記操作部は、前記通常モードで印刷を行うか、前記静音モードで印刷を行うかのモード設定を受け付け、
前記印刷部は、前記モード設定がなされたとき設定されたモードに応じた速度で印刷を行うとともに、前記モード設定がなされず印刷が実行されたとき前記通常モードで印刷を行い、
前記ファンは、前記静音モードで印刷するとき、前記通常モードで印刷するときよりも早い時点で停止することを特徴とする請求項２乃至７の何れか１項に記載の画像形成装置。
【請求項７】
前記操作部は、使用者によるタッチ操作の操作音を発する発音部を含み、
前記発音部は、前記ジョブ実行部がジョブ実行中の操作音を、前記ジョブ実行部がジョブを実行していないときよりも大きくすることを特徴とする請求項１乃至６の何れか１項に記載の画像形成装置。
【請求項８】
前記印刷部は、画像データに基づき走査、露光を行って前記感光体ドラムに静電潜像を形成する露光装置を含み、トナー像を形成する画像形成部を備え、
前記露光装置は、ポリゴンミラーを回転させるポリゴンモーターを含み、
前記ポリゴンモーターは、印刷の最終ページの印刷に必要な走査、露光が完了すると、停止し始めることを特徴とする請求項２乃至７の何れか１項に記載の画像形成装置。
【請求項９】
載置された原稿を１枚ずつ自動的に搬送し原稿を読み取って画像データを生成する原稿読取部を前記ジョブ実行部として含み、
前記操作部は、表示部を含み、前記原稿読取部が読み取った原稿の画像データと前記操作部になされた設定内容に基づく送信ジョブの実行指示と、プレビュー表示指示を前記内容確認入力として受け付け、
前記操作部が前記プレビュー表示指示を受け付けたとき、
前記原稿読取部は原稿の読み取りを行い、
前記表示部は、送信ジョブの実行開始前に前記原稿読取部が読み取った原稿の画像データと前記操作部になされた設定内容に基づいて送信される画像データの内容を示す第２プレビュー画像を表示し、
前記操作部が送信ジョブの実行指示を受け付けたとき、
前記表示部は、前記原稿読取部が読み取った原稿の画像データと前記操作部になされた設定内容に基づいて前記第２プレビュー画像を表示し、
前記原稿読取部は、送信ジョブの実行開始前に前記第２プレビュー画像を表示した送信ジョブについては全ページを前記第１印刷速度で原稿を読み取り、送信ジョブの実行開始前に前記第２プレビュー画像を表示していない送信ジョブについては、最初から予め定められた読取枚数を第２読取速度で、残りのページを前記第１読取速度で原稿を読み取り、
前記第１読取速度は、前記第２読取速度よりも速いことを特徴とする請求項１乃至８の何れか１項に記載の画像形成装置。
【発明の詳細な説明】
【技術分野】
【０００１】
本発明は、ジョブの実行速度を変化させることができる画像形成装置に関する。
【背景技術】
【０００２】
複写機、複合機のような画像形成装置では、ジョブ実行に伴う音が生ずる。あまりに大きな音が画像形成装置から生ずると、騒音となり、使用者に不快感を与える。そこで、複写機、複合機のような画像形成装置には、複数種の用紙搬送速度で印刷を行えるようにするものがある。画像形成装置から生ずる音を抑えたい場合、用紙搬送速度を遅くして印刷を行うことになる。
【０００３】
このような画像形成装置の一例が特許文献１に記載されている。具体的に、特許文献１には、少なくとも２種類以上の異なる搬送速度で記録紙収納部から記録紙を画像記録部へ搬送して画像を記録可能な画像形成装置であり、記録動作を通常よりも静かに行う静音モードを有し、切り替え手段（静音モードのスイッチ２５）で静音モードが選択されたことに応じて、前記異なる搬送速度のなかで通常時より遅い搬送速度を選択して記録を行う画像形成装置が記載されている。（特許文献１：手続補正書の請求項３、段落［００３８］等参照）。
【先行技術文献】
【特許文献】
【０００４】
【特許文献１】特開２００４−１６７７９８号公報
【発明の概要】
【発明が解決しようとする課題】
【０００５】
画像形成装置には、操作部（操作パネル）のような使用者の設定を受け付ける部分が設けられる。そして、使用者は、操作部に対して操作を行って、実行しようとするジョブ（コピーや送信など）に関し、設定を行う。例えば、両面コピーを行いたいときや、複数ページの内容を１ページに集約して印刷や送信を行いたいとき、両面印刷に関する設定や、集約印刷に関する設定を操作部に行う。このように、使用者は、所望の結果が得られるように、実行しようとするジョブの設定を行う。
【０００６】
そして、使用者の設定後、印刷や原稿読み取りのようなジョブが実行される。ここで、使用者の設定に漏れ（設定値の設定漏れ）や設定ミスがあると、ジョブの実行結果は、使用者が所望する内容と異なった結果となる。例えば、コピージョブで縮小印刷をしたいとき、設定を忘れると、等倍コピーされた印刷物がえられる。そのため、画像形成装置では、実行されるジョブの内容を、ジョブの実行前に確認できるようにすることがある。例えば、ジョブの実行結果を示すプレビュー画像を表示部に表示することがある。
【０００７】
しかし、ジョブの実行結果を事前に確認できるようになっていても、使用者は確認せずにジョブを実行してしまうことがある。例えば、ジョブの実行結果を事前に確認できることを知らないときや、意識的に確認を怠ったときや、必要な全ての設定項目の設定が行われていると誤認したとき、内容確認がなされないままジョブが実行される。
【０００８】
内容確認がなされないとき、使用者が所望する内容で（設定で）ジョブが実行されれば問題はない。しかし、設定漏れや設定ミスがあるとき、実行されたジョブは無駄となり、用紙、電力、時間の無駄が生ずるという問題がある。そして、従来、画像形成装置が複数種の速度でジョブを実行できる機能が、内容確認がされなかったジョブを実行するときに有効活用されていないという問題がある。
【０００９】
特許文献１記載の画像形成装置では、画像形成装置の稼働音を抑えるモードを有する。しかし、特許文献１記載の画像形成装置では、内容確認がなされず、設定漏れや設定ミスのあるジョブは、切り替え手段（静音モードのスイッチ２５）で設定されたモードに応じた速度で、ジョブが最後まで実行される。そのため、上記の問題を解決できない。
【００１０】
本発明は、上記の問題点に鑑み、画像形成装置の生産性を高めつつ、内容確認がなされないまま設定漏れ、設定ミスがあるジョブが実行されても、用紙、電力、時間の無駄を極力減らす。
【課題を解決するための手段】
【００１１】
そこで、本発明に係る画像形成装置は、ジョブを実行するジョブ実行部と、使用者の設定入力と、実行しているジョブの中止を受け付ける操作部と、外部とデータの通信を行うための通信部を備え、実行されるジョブの内容を確認するための入力である内容確認入力を受け付ける入力部と、を含み、前記ジョブ実行部は、前記内容確認入力が前記入力部に入力されていないジョブを実行するとき、最初から予め定められた枚数まで、前記内容確認入力が前記入力部に入力されたジョブを実行するときよりも遅い速度でジョブを実行し、前記予め定められた枚数以降では、前記内容確認入力が前記入力部に入力されたジョブと同じ速度でジョブを実行することとした。
【発明の効果】
【００１２】
本発明の画像形成装置によれば、誤りに気付き、ジョブを中止する時点までは、ジョブの実行速度が抑えられる。そのため、設定漏れや設定ミスのあったジョブの実行による用紙、電力、時間の無駄は極力抑えられる。また、使用者に確認されたジョブでは、高速にジョブが実行される。しかも、内容確認がなされないまま実行されたジョブでも、問題なしと確認できる時点を経過すると、ジョブの実行速度が自動的に高速化される。これにより、画像形成装置に、高い生産性（高速なジョブ実行性能）をも持たせることができる。
【図面の簡単な説明】
【００１３】
【図１】複合機を示す図である。
【図２】原稿読取部を示す図である。
【図３】操作パネルを示す図である。
【図４】複合機のハードウェア構成を示す図である。
【図５】ジョブの実行速度を説明するための図である。
【図６】コピージョブ時のプレビュー画像の表示を説明するための図である。
【図７】第１プレビュー画像の表示の有無に応じた印刷速度制御の流れを示すフローチャートである。
【図８】試し刷り印刷を説明するための図である。
【図９】試し刷り後保留ボックス画面を示す図である。
【図１０】試し刷り印刷での印刷速度制御の流れを示すフローチャートである。
【図１１】送信ジョブ時のプレビュー画像の表示を説明するための図である。
【図１２】送信ジョブの開始により原稿が読み取られているときのプレビュー画像の表示を説明するための図である。
【図１３】第２プレビュー画像の表示の有無に応じた読取速度制御の流れを示すフローチャートである。
【図１４】ポリゴンモーターの回転停止を説明するためのタイミングチャートである。
【図１５】原稿読取部での原稿の送り出し開始と、給紙部からの用紙の給紙開始のずれを示す図である。
【図１６】印刷に応じた操作音量の調整を説明するための図である。
【図１７】印刷のモードに応じたファン２６の回転制御を説明するための図である。
【発明を実施するための形態】
【００１４】
以下、本発明の実施形態を図１〜図１７を用いて説明する。以下の説明では、ジョブ実行部として原稿読取部１と印刷部２を含む複合機１００（画像形成装置に相当）を例に挙げ説明する。但し、本実施の形態に記載されている構成、配置等の各要素は、発明の範囲を限定するものではなく単なる説明例にすぎない。
【００１５】
（画像形成装置の概略）
まず、図１を用いて、実施形態に係る複合機１００の概略を説明する。図１は、複合機１００を示す図である。
【００１６】
図１に示すように、複合機１００の正面前方には、複合機１００に関して各種設定を行うための操作パネル３（操作部、入力部に相当）が設けられる（詳細は後述）。又、図１に示すように、本実施形態の複合機１００は、上部に、画像読取部１ａと原稿搬送部１ｂを含む原稿読取部１が設けられる。又、複合機１００の内部に印刷部２として、給紙部４ａ、搬送部４ｂ、画像形成部５ａ、中間転写部５ｂ、定着部５ｃ、排出搬送部４ｃ、両面搬送部４ｄを含む。
【００１７】
複数の給紙部４ａは、それぞれ印刷に用いる用紙Ｐを収容する。各給紙部４ａは、それぞれ回転駆動する給紙ローラー４１を含む。印刷のとき、何れかの給紙ローラー４１が回転し、１枚ずつ搬送部４ｂに用紙Ｐを給紙する。
【００１８】
搬送部４ｂは、用紙Ｐの案内のためのガイド板や、回転して用紙Ｐを搬送する搬送ローラー対４２ａ、４２ｂ、４２ｃや、形成されたトナー像の転写タイミングに合わせ用紙Ｐを送り出すレジストローラー対４３を含む。
【００１９】
画像形成部５ａは、複数の画像形成ユニット５０（ブラック用の５０Ｂｋ、イエロー用の５０Ｙ、シアン用の５０Ｃ、マゼンタ用の５０Ｍ）と露光装置５１を含む。各画像形成ユニット５０は、感光体ドラム、帯電装置、現像装置、清掃装置などを含む。露光装置５１は、画像データに基づき、レーザー光を点消灯しつつ出力し、各感光体ドラムを走査露光する。各画像形成ユニット５０と露光装置５１により、感光体ドラムの周面上にトナー像が形成される。
【００２０】
中間転写部５ｂは、各１次転写ローラー５２Ｂｋ〜５２Ｍ、中間転写ベルト５３、駆動ローラー５４、複数の従動ローラー５５（５５ａ〜５５ｃ）、２次転写ローラー５６、ベルト清掃装置５７を含む。中間転写ベルト５３は、各画像形成ユニット５０からトナー像の１次転写を受け、中間転写部５ｂは、シートに２次転写を行う。
【００２１】
定着部５ｃは、発熱体を内蔵する加熱ローラー５８とこれに圧接する加圧ローラー５９を含む。定着部５ｃは、加熱ローラー５８と加圧ローラー５９のニップにトナー像が転写された用紙Ｐを通過させ、トナー像を用紙Ｐに定着させる。
【００２２】
排出搬送部４ｃは、定着部５ｃから排出された用紙Ｐを排出トレイ４４方向又は両面搬送部４ｄ方向に用紙搬送方向を仕分ける。用紙搬送方向の切り替えのため、切替弁４５を有する。そして、排出搬送部４ｃの排出ローラー対４６は、正回転方向に回転駆動して排出トレイ４４方向に送り出す。尚、両面印刷のとき、排出ローラー対４６は、用紙Ｐをスイッチバックさせ、片面印刷済みの用紙Ｐを両面搬送部４ｄに導く。両面搬送部４ｄの両面搬送ローラー対４７、４８、４９（計３つ）は片面印刷済の用紙Ｐをレジストローラー対４３の上流まで搬送する。
【００２３】
（原稿読取部１）
次に、図２を用いて、実施形態に係る原稿読取部１を説明する。図２は、原稿読取部１を示す図である。
【００２４】
本実施形態の複合機１００は、原稿読取部１を含む。原稿読取部１は、原稿搬送部１ｂと画像読取部１ａを含む。
【００２５】
原稿搬送部１ｂは、複合機１００の上部に設けられる。原稿搬送部１ｂは、原稿搬送方向上流側から順に、原稿トレイ１１、原稿給紙ローラー１２ａ、原稿搬送路１２ｂ、複数の原稿搬送ローラー対１２ｃ、原稿排出ローラー対１２ｄ、原稿排出トレイ１３等を含む。そして、原稿搬送部１ｂは、搬送読取用コンタクトガラス１４ａ（読み取り位置）に向け原稿トレイ１１に載置された原稿Ｄを１枚ずつ、自動的、連続的に搬送する。尚、原稿搬送部１ｂは、図１、図２の紙面奥側を支点として画像読取部１ａに対し上下方向に開閉自在に取り付けられ、各コンタクトガラスを上方から押さえる板として機能する。
【００２６】
次に、本実施形態における画像読取部１ａを説明する。画像読取部１ａは、搬送される原稿Ｄを読み取るための搬送読取用コンタクトガラス１４ａと、載置された原稿Ｄを読み取るための載置読取用コンタクトガラス１４ｂを上面に有する。
【００２７】
又、図２に示すように、画像読取部１ａは、筐体内に、ランプ１５ａと第１ミラー１５ｂが取り付けられた第１移動枠１５ｃ、第２ミラー１５ｄと第３ミラー１５ｅが取り付けられた第２移動枠１５ｆ、ワイヤ１５ｇ、巻取ドラム１５ｈ、レンズ１５ｉ、原稿Ｄで反射された光が入射され、１ライン毎に原稿Ｄを読み取り、画像データを生成するためのイメージセンサー１６のような光学系部材を含む。ランプ１５ａから発せられた光は、各コンタクトガラス上の原稿Ｄに当たり、反射光を各ミラーで反射させて、レンズ１５ｉに導く。レンズ１５ｉは反射光を集光し、イメージセンサー１６に入射する。
【００２８】
第１移動枠１５ｃ及び第２移動枠１５ｆには複数本のワイヤ１５ｇが取り付けられる（図２では、便宜上１本のみ図示）。ワイヤ１５ｇの他端は巻取ドラム１５ｈに接続され、巻取モーター１５ｍ（図５参照）により、巻取ドラム１５ｈが正逆回転し、第１移動枠１５ｃと第２移動枠１５ｆは水平方向に自在に移動する。
【００２９】
原稿搬送部１ｂにより搬送される原稿Ｄを読み取るとき、巻取モーター１５ｍが駆動した後、第１移動枠１５ｃと第２移動枠１５ｆは、搬送読取用コンタクトガラス１４ａの下方位置（読み取り位置）に固定される。そして、通過する原稿Ｄに対し、ランプ１５ａは光を照射して、走査動作がなされる。一方、載置読取用コンタクトガラス１４ｂ上に載置された原稿Ｄを読み取る場合、第１移動枠１５ｃ及び第２移動枠１５ｆを、巻取ドラム１５ｈやワイヤ１５ｇ等により、ホームポジションから図２の右方向に水平に移動させ、走査動作を、順次原稿端部まで連続的に行う。
【００３０】
（操作パネル３）
次に、図１、図３を用いて、実施形態に係る操作パネル３の一例を説明する。図３は、操作パネル３を示す図である。
【００３１】
まず、複合機１００は、コピー機能（コピージョブ）や、原稿Ｄを読み取って得られたデータをいずれかの場所に格納する送信機能（送信ジョブ）や、複合機１００の記憶部６１（図４参照）に記憶された画像データを利用するボックス機能のような複数の機能を有する。言い換えると、複合機１００では、実行できるジョブの種類が多数に及ぶ。
【００３２】
これらの機能の設定のため、操作パネル３が設けられる。操作パネル３は、複合機１００の正面上方に設けられる（図１参照）。そして、操作パネル３は、用いる機能を選択するためにコピーキー３３ａや送信キー３３ｂや文書ボックスキー３３ｃのようなハードキーを含む機能選択キー群３３を含む。また、操作パネル３には、数字入力用のテンキー部３４や、各種設定後、ジョブの開始指示用のスタートキー３５（入力部に相当）等が設けられる。
【００３３】
また、操作パネル３は表示部３１を含む。表示部３１は、機能を利用するうえで（ジョブの設定を行ううえで）、設定項目の選択画面や、選択した設定項目の設定画面や、設定値の設定用のキーを表示する。また、表示部３１は、液晶や有機ＥＬを用いた表示パネルである。また、タッチパネル部３２が表示部３１に対し（表示部３１の上面に）設けられる。タッチパネル部３２は、表示部３１の領域内のタッチされた位置（座標）を検知するためのものである。タッチパネル部３２の出力に基づき、タッチされた位置に表示される画像、キーなどが認識され、使用者の操作が受け付けられる。
【００３４】
（複合機１００等のハードウェア構成）
次に、図４を用いて、実施形態に係る複合機１００のハードウェア構成の一例を説明する。図４は、複合機１００のハードウェア構成を示す図である。
【００３５】
複合機１００には、主制御部６が設けられる。主制御部６は、操作パネル３、原稿読取部１、印刷部２、記憶部６１、通信部６２（入力部に相当）などと接続され、複合機１００の制御を司る。主制御部６のＣＰＵ６３は、制御のための演算などの処理を行う。画像処理部６４は、原稿Ｄの読み取りで得られた画像データや、通信部６２で受信された画像データに対し、操作パネル３でなされた設定に応じた画像処理を行い、印刷や送信用やプレビュー表示用の画像データを生成する。
【００３６】
記憶部６１は、ＲＯＭ、ＲＡＭ、ＨＤＤ等の不揮発性と揮発性の記憶素子、装置を組み合わせて構成される。制御用のデータやプログラムや画像データや設定に関するデータを記憶し、主制御部６は記憶部６１に記憶内容に基づいて制御を行う。
【００３７】
通信部６２は、主制御部６の指示に基づき、ネットワークや通信回線やケーブルを介して、コンピューター２００やＦＡＸ装置３００と通信を行う。通信部６２は、コンピューター２００やＦＡＸ装置３００に画像データを送信できる。また、主制御部６は、コンピューター２００やＦＡＸ装置３００から画像データを受信させ、受信画像データに基づいて印刷部２に印刷を行わせることができる。
【００３８】
また、主制御部６は、原稿搬送部１ｂ、画像読取部１ａと接続され、動作の指示を出して制御を行う。また、主制御部６は、印刷部２を制御するエンジン制御部２０と接続される。エンジン制御部２０は、主制御部６の指示に基づき、給紙部４ａ、搬送部４ｂ、画像形成部５ａ、中間転写部５ｂ、定着部５ｃ、排出搬送部４ｃ、両面搬送部４ｄなどの動作を制御し、印刷部２に印刷を行わせる。
【００３９】
又、主制御部６は、操作パネル３になされた入力を認識し、使用者の設定にあわせてジョブが行われるように複合機１００を制御する。例えば、操作パネル３で、両面印刷の設定がなされると、主制御部６は、エンジン制御部２０に指示を与え、排出搬送部４ｃ、両面搬送部４ｄを動作させ、用紙Ｐの両面に印刷を行わせる。
【００４０】
操作パネル３は、パネル制御部３０、メモリー３６、ドライバ回路３０ａ、表示部３１、タッチパネル部３２を含む。パネル制御部３０は、ＣＰＵやＩＣ等で構成され、表示部３１の表示を制御する。また、パネル制御部３０は、タッチパネル部３２の出力を受け、どのキーや画像の表示位置がタッチされたかを認識し、なされた操作を認識する。また、パネル制御部３０は、機能選択キー群３３に含まれるハードキーやテンキー部３４やスタートキー３５のようなハードキーと接続される。そして、パネル制御部３０は、タッチ操作された（押された）ハードキーを認識する。パネル制御部３０は、操作内容を主制御部６に伝達し、認識させる。
【００４１】
（通常読取モードと静音読取モード）
次に、図５を用いて、実施形態に係る原稿読取部１の原稿Ｄの読取速度に関するモードを説明する。図５は、ジョブの実行速度を説明するための図である。
【００４２】
本実施形態の原稿読取部１は、予め定められた通常速度で原稿Ｄの読み取りを行う通常読取モードを有する。言い換えると、通常読取モードは、仕様上、予め定められた通常のジョブの実行速度（例えば、仕様上の１分間あたり原稿読取枚数）で原稿Ｄの読み取りを行うモードである。また、原稿読取部１は、通常速度（第１読取速度）よりも遅い静音速度（第２読取速度）で原稿Ｄを読み取ることで、通常読取モードよりも原稿Ｄの読取速度を遅くする静音読取モードを有する。言い換えると、ジョブ実行部としての原稿読取部１は、第１読取速度（通常速度）で原稿Ｄを読み取る通常モード（通常読取モード）と、第２読取速度（静音速度）で原稿Ｄを読み取る静音モード（静音読取モード）を有する。
【００４３】
静音読取モードでは、原稿Ｄの読取速度が抑えられる。そのため、原稿Ｄの送り出し音や、原稿Ｄが搬送ガイドに衝突する音や擦れにより生ずる音や、原稿搬送用モーター１０ｍの回転音や、原稿搬送時に回転する原稿給紙ローラー１２ａのような回転体やギアのような機械要素から生ずる音の大きさを抑えることができる。言い換えると、静音読取モードでは、通常読取モードよりも原稿読取部１から生ずる音を抑えることができる。
【００４４】
静音読取モードでの読取速度は、通常読取モードでの読取速度よりも遅い範囲で適宜定められる。具体的に、静音読取モードでの原稿Ｄの読取速度は、通常読取モードでの読取速度の１／２や１／３や３／４や２／３や、３／５程度とできる。本実施形態の複合機１００では、静音読取モードでの読取速度は通常読取モードの読取速度の１／２（半速）とされる。
【００４５】
静音読取モードで原稿Ｄを読み取るか、通常読取モードで原稿Ｄを読み取るかの設定は、操作パネル３で行える。操作パネル３には、原稿読み取りでのモード設定のため、モード設定キー３７が設けられる。モード設定キー３７は、操作パネル３にハードキーとして設けられてもよいし、表示部３１にソフトキーとして表示されてもよい。このように、操作パネル３のモード設定キー３７は、静音読取モードで読み取りを行うか、通常読取モードで読み取りを行うかの設定を受け付ける。尚、モード設定キー３７でモードが設定されていないとき、原稿読取部１は、通常読取モードで原稿Ｄの読み取りを行う（デフォルトが通常読取モード）。
【００４６】
次に、各読取モードでの速度制御を説明する。原稿読取部１の原稿搬送部１ｂには、原稿搬送制御部１０ｂが設けられる。原稿搬送制御部１０ｂは、主制御部６の指示に基づき、原稿搬送を制御する。原稿搬送制御部１０ｂは、ＣＰＵやＲＯＭやＲＡＭやＩＣや素子を含む回路（基板）である。
【００４７】
コピージョブ（原稿読取部１の原稿読み取りに基づく画像データを用いて、印刷するジョブ）や、送信ジョブ（原稿読取部１の原稿読み取りに基づく画像データをコンピューター２００やＦＡＸ装置３００や記憶部６１に送信するジョブ）のとき、原稿搬送制御部１０ｂは、原稿トレイ１１に載置された原稿Ｄを１枚ずつ搬送する。尚、原稿読取部１には、原稿トレイ１１に原稿Ｄがあるか否かを検知するための原稿検知センサー１０ｓが設けられる。
【００４８】
そして、原稿搬送制御部１０ｂは、原稿トレイ１１に載置された原稿Ｄを搬送する回転体を回転させる原稿搬送用モーター１０ｍの動作を制御する。原稿搬送制御部１０ｂは、原稿検知センサー１０ｓの出力に基づき原稿トレイ１１に原稿Ｄが載置されていると認識している状態で、コピージョブや送信ジョブを静音読取モードで行うとき、通常読取モードでジョブを実行するときよりも、原稿搬送用モーター１０ｍの回転速度を遅くする（１／２程度とする）。これにより、静音読取モードでは、原稿搬送制御部１０ｂは、通常読取モードのときよりも１／２程度の速度で原稿Ｄを搬送させる。
【００４９】
また、原稿読取部１の画像読取部１ａには、読取制御部１０ａが設けられる。読取制御部１０ａは、主制御部６の指示に基づき、原稿Ｄの読み取りを制御する。読取制御部１０ａは、ＣＰＵやＲＯＭやＲＡＭやＩＣや素子を含む回路（基板）である。
【００５０】
読取制御部１０ａは、各移動枠（ランプ１５ａや各ミラー）を移動させる巻取モーター１５ｍの回転速度や、回転方向を制御する。また、読取制御部１０ａは、ランプ１５ａの点消灯を制御する。読取制御部１０ａは、原稿Ｄを読み取るとき、ランプ１５ａを点灯させ、読み取りが終了するとランプ１５ａを消灯させる。また、読取制御部１０ａは、イメージセンサー１６の動作を制御する。また、読取制御部１０ａは、イメージセンサー１６のアナログ出力に基づき、Ａ／Ｄ変換部１７に画像データを生成させる。また、読取制御部１０ａは、Ａ／Ｄ変換部１７により生成された画像データに対し、読取データ処理部１８に各種補正や調整のための画像処理を行わせる。また、読取制御部１０ａは、画像メモリー１９に読取データ処理部１８が処理した画像データを蓄積させ、画像データを主制御部６や記憶部６１に向けて送信させる。
【００５１】
読取制御部１０ａは、原稿検知センサー１０ｓの出力に基づき原稿トレイ１１に原稿Ｄが載置されていないことを認識している状態で、コピージョブや送信ジョブを開始するとき、巻取モーター１５ｍを動作させて載置読取用コンタクトガラス１４ｂに載置された原稿Ｄを読み取らせる。読取制御部１０ａは、静音読取モードで載置読取用コンタクトガラス１４ｂに載置された原稿Ｄの読み取りを伴うジョブを実行するとき、通常読取モードでジョブを実行するときよりも、巻取モーター１５ｍの回転速度を遅くする（１／２程度とする）。これにより、静音読取モードでは、読取制御部１０ａは、原稿Ｄの読取速度を通常読取モードのときよりも１／２程度とする。
【００５２】
読取制御部１０ａは、静音読取モードで原稿Ｄの読み取りを行うとき、イメージセンサー１６やＡ／Ｄ変換部１７や読取データ処理部１８や画像メモリー１９の動作速度（動作クロック）を通常読取モードのときよりも遅い速度で動作させてもよい（例えば、動作周波数を１／２程度とする）。あるいは、読取制御部１０ａは、イメージセンサー１６やＡ／Ｄ変換部１７や読取データ処理部１８や画像メモリー１９を通常読取モードと、静音読取モードとで同じ速度で動作させてもよい。この場合、原稿搬送方向（副走査方向）でのライン数は予め定められた読取解像度に比べ多くなるので、読取制御部１０ａは、不要なラインを読取データ処理部１８に間引き処理させる。
【００５３】
このように、静音読取モードと通常読取モードに応じた速度で読み取りが行われるように、主制御部６は、原稿読取部１（原稿搬送部１ｂ、画像読取部１ａ）の動作を原稿搬送制御部１０ｂや読取制御部１０ａに制御させる。
【００５４】
（通常印刷モードと静音印刷モード）
次に、図５を用いて、実施形態に係る印刷部２の印刷速度に関するモードを説明する。
【００５５】
本実施形態の印刷部２は、予め定められた通常速度で印刷を行う通常印刷モードを有する。言い換えると、通常印刷モードは、仕様上、通常のジョブの予め定められた実行速度（例えば、仕様上の１分間あたりの印刷枚数）で印刷を行うモードである。また、印刷部２は、通常速度よりも遅い静音速度で印刷を行って、通常印刷モードよりも印刷速度を遅くする静音印刷モードを有する。言い換えると、ジョブ実行部としての印刷部２は、第１印刷速度（通常速度）で用紙Ｐに印刷する通常モード（通常印刷モード）と、第２印刷速度（静音速度）で用紙Ｐに印刷する静音モード（静音印刷モード）を有する。
【００５６】
静音印刷モードでは、印刷速度が抑えられる。そのため、用紙Ｐの送り出し音（給紙音）や、用紙Ｐが搬送ガイドに衝突する音や擦れにより生ずる音や、印刷用モーター２３の回転音や、用紙搬送やトナー像形成のために回転する搬送ローラー対４２ａ、４２ｂ、４２ｃのような回転体やギアのような機械要素から生ずる音の大きさを抑えることができる。言い換えると、静音印刷モードでは、通常印刷モードよりも印刷部２から生ずる音を抑えることができる。
【００５７】
静音印刷モードでの印刷速度は、通常印刷モードでの印刷速度も遅い範囲で適宜定められる。具体的に、静音印刷モードでの印刷速度は、通常印刷モードでの印刷速度の１／２や１／３や３／４や２／３や、３／５程度とできる。以下の説明では、静音印刷モードでの印刷速度を通常印刷モードのときの印刷速度の１／２（半速）とする例を説明する。
【００５８】
静音印刷モードで印刷を行うか、通常印刷モードで印刷を行うかの指示は、操作パネル３で行うことできる。そのため、操作パネル３のモード設定キー３７は、静音印刷モードで印刷を行うか、通常印刷モードで印刷を行うかの設定を受け付ける。
【００５９】
尚、モード設定キー３７でモードが設定されていないとき、印刷部２は、通常印刷モードで印刷を行う（デフォルトが通常印刷モード）。
【００６０】
次に、各印刷モードでの速度制御を説明する。印刷部２には、エンジン制御部２０が設けられる。エンジン制御部２０は、主制御部６の指示に基づき、印刷速度（単位時間あたりの印刷枚数）を制御する。エンジン制御部２０は、エンジンＣＰＵ２１やエンジンメモリー２２やＩＣや素子を含む回路（基板）である。
【００６１】
エンジン制御部２０は、印刷部２内に設けられる印刷用モーター２３のＯＮ／ＯＦＦや回転速度を制御する。印刷用モーター２３は、１又は複数設けられる。印刷用モーター２３は、用紙搬送用のローラー（各種搬送部４ｂや給紙部４ａの回転体）や、トナー像形成や転写や定着に関する処理を行う回転体（画像形成部５ａ、中間転写部５ｂ、定着部５ｃ内の回転体など）のような印刷時に回転する回転体を回転させる。また、エンジン制御部２０は、感光体ドラムの走査、露光を行う露光装置５１内のポリゴンミラー２４ａを回転させるポリゴンモーター２４のＯＮ／ＯＦＦや回転速度を制御する。
【００６２】
コピージョブや、コンピューター２００のような外部から送信されたデータに基づき印刷を行うプリントジョブや、記憶部６１に蓄積された画像データに基づき印刷を行うボックス印刷ジョブのとき、エンジン制御部２０は、印刷部２に印刷を行わせる。
【００６３】
エンジン制御部２０は、静音印刷モードで印刷を行うとき、通常印刷モードで印刷を行うときよりも、印刷用モーター２３の回転速度を遅くする（１／２程度とする）。これにより、静音印刷モードでは、エンジン制御部２０は、印刷ジョブの実行速度を、通常印刷モードのときの１／２程度とする。
【００６４】
また、エンジン制御部２０は、静音モードで感光体ドラムの走査、露光を行うとき、通常モードよりも感光体ドラムの回転速度が遅くなるのにあわせて、ポリゴンモーター２４の回転速度を通常モードよりも遅くしてもよい（例えば、ポリゴンモーター２４に入力する駆動信号の周波数を１／２程度とする）。あるいは、エンジン制御部２０は、静音モードでは、ポリゴンモーター２４の回転速度を同じとしつつ、減速率にあわせて、数ラインに１ラインの割合で、感光体ドラムの走査、露光を行うようにしてもよい（例えば、２ライン中、１ラインのみ画像データにあわせて露光する）。
【００６５】
このように、静音印刷モードと通常印刷モードに応じた速度で印刷が行われるように、エンジン制御部２０は、印刷部２の動作を制御する。
【００６６】
（コピージョブを行うときのプレビュー画像の表示）
次に、図６を用いて、本実施形態の複合機１００に係るコピージョブ時のプレビュー画像の表示について説明する。図６は、コピージョブ時のプレビュー画像の表示を説明するための図である。
【００６７】
まず、本実施形態の複合機１００では、原稿読取部１で原稿Ｄを読み取らせ、原稿Ｄの読み取りで得られた画像データに基づき印刷を行うコピー機能を有する。
【００６８】
コピージョブを複合機１００に実行させるとき、使用者は、操作パネル３に設けられたコピーキー３３ａを押す。パネル制御部３０は、コピーキー３３ａが押されたことを認識すると、表示部３１に図６に示すようなコピー機能の基本画面７１を表示させる。基本画面７１には、設定項目（用紙選択や拡大／縮小などの機能）を選択し、選択した設定項目の設定画面を表示させるための選択キーＫ１が設けられる。
【００６９】
また、パネル制御部３０は、基本画面７１内に複数のタブＴＢを表示させる。尚、図６では、簡単設定のタブＴＢが選択されている状態である。各タブＴＢに対応して、コピージョブで用いることができる設定項目が予め割り振られている（例えば、「カラー／画質」のタブＴＢでは、濃度設定の設定項目や、印刷色の設定項目が割り振られる）。パネル制御部３０は、タブＴＢの表示位置へのタッチを認識すると、そのタブＴＢに割り当てられた設定項目の選択画面（設定項目を選択するための選択キーＫ１が一覧表示される画面）を表示部３１に表示させる。尚、本実施形態の複合機１００で選択可能な設定項目（機能）や設定値は多数に及ぶので、各設定項目の詳細については、特に説明をする場合を除き、省略する。
【００７０】
そして、パネル制御部３０は、選択キーＫ１の表示位置へのタッチにより設定項目の選択を認識すると、選択された設定項目の設定画面を表示部３１に表示させる。パネル制御部３０は、設定画面内で設定値を定める入力を受け付ける（認識する）。例えば、パネル制御部３０は、用紙選択の設定項目が選択されると、各種用紙Ｐサイズを示す設定値キーを含む用紙選択用の設定画面を表示部３１に表示させる。そして、パネル制御部３０は、表示位置がタッチされた設定値キーに記された用紙Ｐサイズを、印刷で用いる用紙Ｐサイズと認識する。
【００７１】
このように、操作パネル３（パネル制御部３０）は、印刷部数や、設定項目の設定値の設定など、コピージョブに関する設定を受け付ける。主制御部６は、操作パネル３と通信を行い、操作パネル３になされた設定の内容を認識する。そして、主制御部６は、使用者の設定内容に基づいたコピージョブを原稿読取部１と印刷部２に行わせる。
【００７２】
そして、本実施形態の複合機１００では、コピージョブでの印刷物の仕上がりイメージ（第１プレビュー画像ｉ１）を表示部３１に表示させることができる。これにより、どのような内容の印刷が印刷されるか、印刷を開始する前に、確認することができる。
【００７３】
図６に示すように、表示部３１の表示領域内には、第１プレビュー画像ｉ１を表示させるための第１プレビュー画像表示領域７１ａが設けられる。第１プレビュー画像表示領域７１ａは、固定的に割り当てられた領域であり、コピー機能の各設定項目の設定画面内でも表示される。そして、第１プレビュー画像表示領域７１ａ内には、プレビューキーＫ２が設けられる。プレビューキーＫ２は、表示部３１に第１プレビュー画像ｉ１を表示させるためのものである。
【００７４】
第１プレビュー画像ｉ１の表示の流れを説明する。パネル制御部３０は、コピージョブの実行開始前のプレビューキーＫ２の表示位置のタッチ操作を、第１プレビュー画像ｉ１を表示させる旨の指示（プレビュー表示指示、内容確認入力）として認識する（受け付ける）。
【００７５】
プレビュー表示指示がなされた旨がパネル制御部３０から伝達され、主制御部６は、原稿読取部１に原稿Ｄの読み取りを行わせる。原稿トレイ１１に載置された複数枚の原稿Ｄのうち、原稿読取部１は、コピージョブの最初の１ページ分の原稿Ｄの読み取りを行う。
【００７６】
原稿Ｄの読み取りにより生成された画像データは、記憶部６１に記憶される。そして、原稿読み取りにより生成された画像データは、表示部３１で表示するには画素数が多すぎる。そこで、画像処理部６４は、第１プレビュー画像ｉ１の表示用の画像データ（プレビュー用画像データ）を生成する。このとき、画像処理部６４は、コピージョブに関し、操作パネル３でなされた設定を反映したプレビュー用画像データを生成する。
【００７７】
そして、図６の下方の図に示すように、パネル制御部３０は、プレビュー用画像データに基づき、第１プレビュー画像表示領域７１ａ内に第１プレビュー画像ｉ１を表示させる。尚、図６の上方の図に示すように、第１プレビュー画像表示領域７１ａには、プレビューキーＫ２の表示位置のタッチ前では、白紙状態の画像が表示される。この白紙状態の画像が、第１プレビュー画像ｉ１に置き換えられる。
【００７８】
第１プレビュー画像ｉ１の内容で問題がなければ（使用者が意図する内容になっていれば）、スタートキー３５を押せばよい。スタートキー３５が押されると、主制御部６は、原稿読取部１に原稿Ｄの読み取りを継続させ、印刷部２に原稿Ｄの画像データに基づき印刷させる（原稿読取部１と印刷部２にコピージョブを行わせる）。
【００７９】
第１プレビュー画像ｉ１をみて、使用者が意図する内容になっていなければ、使用者は、第１プレビュー画像表示領域７１ａに設けられた中止キーＫ３の表示位置をタッチする。中止キーＫ３は、第１プレビュー画像ｉ１の表示に伴い、プレビューキーＫ２に置き換えて表示される。また、操作パネル３にハードキーとして設けられたストップキー３５ａを押してもよい（図３参照）。パネル制御部３０は、これらの操作をプレビュー終了指示として受け付ける。
【００８０】
プレビュー終了指示がなされると、パネル制御部３０は、コピージョブの基本画面７１を表示する。そして、使用者は、設定ミスや設定漏れのある設定項目の設定を行う。そして、設定を変更した後、プレビューキーＫ２の表示位置がタッチされると、パネル制御部３０は、変更後の設定内容に応じた第１プレビュー画像ｉ１を表示部３１に再び表示させる原稿はセットしなおす必要がある。
【００８１】
（第１プレビュー画像ｉ１の表示の有無に応じた印刷速度制御）
次に、図７を用いて、第１プレビュー画像ｉ１を表示させたか否かに応じた印刷速度制御の流れを説明する。図７は、第１プレビュー画像ｉ１の表示の有無に応じた印刷速度制御の流れを示すフローチャートである。
【００８２】
本実施形態の複合機１００では、高速の第１印刷速度（通常印刷モード）で印刷するか、低速の第２印刷速度（静音印刷モード）で印刷するかを操作パネル３で設定することができる。尚、印刷速度に関する設定が別段なされない場合、第１印刷速度で印刷がなされる。
【００８３】
そして、以下の説明は、第１印刷速度で印刷を行う場合（第１印刷速度での印刷が設定された場合や、別段、印刷速度に関する設定がなされなかったとき）に関する。尚、第２印刷速度で印刷を行う設定がなされたとき、その設定が優先され、第２印刷速度での印刷が続けられる。
【００８４】
そのため、図７のスタートは、実行指示がなされ（スタートキー３５が押され）、基本的に第１印刷速度でコピージョブを開始する時点である。
【００８５】
主制御部６は、パネル制御部３０と通信し、実行しようとするコピージョブで、実行指示がなされるまでに第１プレビュー画像ｉ１の表示がなされたか否かを確認する（ステップ♯１）。もし、第１プレビュー画像ｉ１の表示がなされたコピージョブであれば（ステップ♯１のＹｅｓ）、主制御部６は、エンジン制御部２０や原稿読取部１（原稿搬送制御部１０ｂ、読取制御部１０ａ）に第１プレビュー画像ｉ１を表示したコピージョブであることを通知する。この通知を受け、原稿読取部１は、第１読取速度で読み取りを行い、エンジン制御部２０は、コピージョブの完了まで第１印刷速度（通常印刷モード）で印刷を印刷部２に行わせる（ステップ♯２→エンド）。第１プレビュー画像ｉ１を確認したのであれば、仕上がりの確認がなされており、設定漏れや設定ミスの可能性が低い。そのため、最初から高速で印刷を行う。
【００８６】
一方、第１プレビュー画像ｉ１を表示していないコピージョブであれば（ステップ♯１のＮｏ）、主制御部６は、エンジン制御部２０や原稿読取部１（原稿搬送制御部１０ｂ、読取制御部１０ａ）に第１プレビュー画像ｉ１を表示していないコピージョブであることを通知する。そして、エンジン制御部２０は、印刷部２に第２印刷速度（静音印刷モード）で印刷を行わせる（ステップ♯３）。尚、この間、原稿読取部１は、第１読取速度で読み取りを行ってもよいし、第２読取速度で読み取りを行ってもよい。
【００８７】
そして、エンジン制御部２０は、最初のページから予め定められた印刷枚数、第２印刷速度で印刷がなされたかを確認する（ステップ♯４）。言い換えると、エンジン制御部２０は、最初のページから印刷された枚数が予め定められた印刷枚数に到達したか否かを確認する（ステップ♯４）。ここで、予め定められた印刷枚数は、任意の値である。予め定められた印刷枚数は、予め定められた印刷枚数の印刷に要する時間が、第１プレビュー画像ｉ１を見ていない使用者がコピージョブで設定漏れや設定ミスが有ることに気づける時間となるような枚数とされる。そのため、予め定められた印刷枚数は、１〜数枚程度でよい。
【００８８】
第２印刷速度での予め定められた印刷枚数分の印刷が未完了であれば（ステップ♯４のＮｏ）、フローは、ステップ♯３に戻る。一方、予め定められた印刷枚数分の印刷がなされれば、エンジン制御部２０は、印刷速度を第１印刷速度に変更する。言い換えると、エンジン制御部２０は、最初から予め定められた印刷枚数よりも後のページから最終ページまで、第１印刷速度で印刷部２に印刷させる（ステップ♯５→エンド）。
【００８９】
ここで、このように、第２印刷速度でコピージョブを行う設定がなされず、また、第１プレビュー画像ｉ１を表示していないとき（プレビューキーＫ２による内容確認入力がなされていないとき）、印刷部２は、コピージョブの途中で印刷速度を変更する。
【００９０】
そのため、エンジン制御部２０は、第２印刷速度（静音印刷モード）で印刷を行う枚数分、給紙部４ａに給紙を行わせた後、第２印刷速度で印刷する最後の用紙Ｐが排出トレイ４４に排出されるまで、給紙部４ａに給紙を停止させるようにしてもよい。排出後、エンジン制御部２０は、コピージョブの残りのページを第１印刷速度で印刷部２に印刷させる。言い換えると、印刷速度の変更に備え、エンジン制御部２０は、給紙部４ａからの給紙を一旦停止させ、第２印刷速度で給紙、用紙搬送、トナー像形成を行った全ページが排出トレイ４４に排出されたとき、第１印刷速度（通常印刷モード）での給紙、用紙搬送、トナー像形成のような印刷動作を印刷部２に開始させてもよい。
【００９１】
尚、本実施形態の複合機１００には、排出ローラー対４６近傍に、印刷済の用紙Ｐが排出トレイ４４に排出されたことを検知するための排出検知センサー２５が設けられる（図５参照）。エンジン制御部２０は、排出検知センサー２５の出力に基づき、排出トレイ４４に印刷済みの用紙Ｐが排出されたことを認識する。あるいは、各印刷速度での用紙搬送速度は決まっており、給紙部４ａから排出までに要する搬送距離は決まっているので、エンジン制御部２０は、給紙開始からの時間に基づき、印刷済用紙Ｐが排出トレイ４４に排出されたことを認識してもよい。
【００９２】
（試し刷り印刷）
次に、図８、図９を用いて、本実施形態の複合機１００での試し刷り印刷を説明する。図８は、試し刷り印刷を説明するための図である。図９は、試し刷り後保留ボックス画面７２を示す図である。
【００９３】
まず、図８に示すように、複合機１００は、ネットワークやケーブルなどを介してコンピューター２００と通信可能に接続できる。
【００９４】
ここで、コンピューター２００について説明しておく。コンピューター２００は、パーソナルコンピューターやサーバーなどである。コンピューター２００は、ＣＰＵなどが設けられた処理、演算を行う処理基板２０１、画面、画像を表示するディスプレイ２０２、キーボードやマウスのような入力装置２０３、ＨＤＤ、ＲＯＭ、ＲＡＭなどで構成された記憶装置２０４、外部との通信用の通信Ｉ／Ｆ部２０５を含む。
【００９５】
そして、コンピューター２００の通信Ｉ／Ｆ部２０５と、複合機１００の通信部６２は、ネットワークやケーブルなどにより通信可能に接続される。これにより、コンピューター２００から印刷用データＤ１を送信し、複合機１００に印刷用データＤ１に基づき印刷を行わせる（複合機１００をプリンターとして用いる）ことができる。
【００９６】
また、コンピューター２００の記憶装置２０４には、各種アプリケーション２０６（例えば、文書作成用や画像編集用など）がインストールされる（記憶される）。また、コンピューター２００から印刷用データＤ１を送信して、複合機１００で印刷を行えるようにするため、記憶装置２０４には、複合機１００のドライバソフトウェア２０７がインストールされる（記憶される）。
【００９７】
アプリケーション２０６で印刷コマンドを実行すると、ドライバソフトウェア２０７が起動する。ドライバソフトウェア２０７では、印刷内容に関し、各種設定を行うことができる。例えば、ドライバソフトウェア２０７では、印刷するページや、印刷に用いる用紙Ｐや、ズーム倍率や、印刷濃度の指定や、試し刷りの設定や、試し刷り印刷で印刷を行う総部数などを行うことができる。尚、ドライバソフトウェア２０７上で設定可能な事項の詳細は、特に説明する場合を除き省略する。
【００９８】
ドライバソフトウェア２０７に基づき、処理基板２０１は、アプリケーション２０６上のデータを加工して、印刷内容を示すデータ（例えば、画像データ）や、ドライバソフトウェア２０７上でなされた設定の内容を示す設定データを印刷用データＤ１として生成する。また、ドライバソフトウェア２０７上で、試し刷りを行う設定や、試し刷り印刷を行うジョブの合計印刷部数の設定がなされると、処理基板２０１は、試し刷り印刷を行う旨を示すデータ（試し刷り命令）や合計印刷部数を示すデータを含む印刷用データＤ１を生成する。
【００９９】
そして、通信Ｉ／Ｆ部２０５は、生成された印刷用データＤ１を通信部６２に向けて送信する。通信部６２は、コンピューター２００から送信された印刷用データＤ１を受信する。そして、主制御部６は、印刷用データＤ１の内容を認識する。また、主制御部６は、エンジン制御部２０に指示を与え、印刷用データＤ１に基づき印刷部２に印刷（プリントジョブ）を行わせる。
【０１００】
試し刷り印刷の設定がなされたプリントジョブ（試し刷り命令を含む印刷用データＤ１）を受信すると、主制御部６は、印刷用データＤ１に基づき、１部のみ印刷する指示をエンジン制御部２０に与える。エンジン制御部２０は、試し刷り命令を含む印刷用データＤ１に基づき、各ページを１ページずつ印刷する（１部の印刷）。
【０１０１】
また、主制御部６は、試し刷り設定有りの印刷用データＤ１を記憶部６１（記憶部６１に含まれるＨＤＤ）に不揮発的に記憶させ、登録する。そして、使用者は、操作パネル３に対して操作を行い、記憶部６１に登録された試し刷り設定有りの印刷用データＤ１の残りの部数を印刷させることができる。このように、複合機１００は、複数部印刷するとき、１部だけ印刷し、残りの部数の印刷を保留する機能を有する。１部だけ印刷されるので、使用者は試し刷り印刷したプリントジョブを見て、設定漏れや設定ミスが有るか否かを確認できる。
【０１０２】
次に、図９を用いて、記憶部６１に登録された印刷用データＤ１の残り部数の印刷を説明する。記憶部６１に登録された試し刷り設定有りの印刷用データＤ１に基づき、試し刷り後に印刷を行うとき、使用者は、操作パネル３の文書ボックスキー３３ｃを押す。
【０１０３】
そして、一定の操作を行うことにより、試し刷り後保留ボックス画面７２を表示部３１に表示させることができる。図９に示すように、試し刷り後保留ボックス画面７２には、登録された試し刷り設定有りの印刷用データＤ１が一覧形式で表示される。
【０１０４】
また、図９に示すように、試し刷り後保留ボックス画面７２の左端には、各印刷用データＤ１に応じてチェックボックスＣＢが設けられる。パネル制御部３０は、チェックボックスＣＢの表示位置へのタッチ操作を、残りの部を印刷したい印刷用データＤ１を指定する（選択する）操作として受け付ける。図９に示すように、表示部３１は、指定された印刷用データＤ１に対応するチェックボックスＣＢには、チェックを表示する。
【０１０５】
また、図９に示すように、試し刷り後保留ボックス画面７２には、印刷キーＫ４が配される。印刷キーＫ４の表示位置がタッチされると、主制御部６は、チェックボックスＣＢにチェックが入れられた印刷用データＤ１に基づく印刷の実行をエンジン制御部２０に指示する。エンジン制御部２０は、指示に基づき、指定された印刷用データＤ１の残りの部数の印刷を印刷部２に行わせる。
【０１０６】
（試し刷り印刷での印刷速度制御）
次に、図１０を用いて、試し刷り印刷での印刷速度制御の流れを説明する。図１０は、試し刷り印刷での印刷速度制御の流れを示すフローチャートである。
【０１０７】
まず、図１０のスタートは、試し刷り印刷設定有りの印刷用データＤ１をコンピューター２００が送信した時点である。尚、試し刷り印刷の設定がないとき（印刷用データＤ１に試し刷り印刷命令が含まれていないとき）、ドライバソフトウェア２０７で設定された部数の全てが印刷される。
【０１０８】
複合機１００の通信部６２は、試し刷り印刷設定付きの印刷用データＤ１を受信する（ステップ♯１１）。そして、主制御部６は、受信した印刷用データＤ１に基づいて１部印刷する指示をエンジン制御部２０に与える。これに応じ、エンジン制御部２０は、受信した印刷用データＤ１に基づいて、第２印刷速度（静音印刷モード）で、１部の試し刷り印刷を印刷部２に行わせる（ステップ♯１２）。
【０１０９】
また、主制御部６は、受信した試し刷り印刷設定有りの印刷用データＤ１を記憶部６１に記憶させる（登録する、ステップ♯１３）。これにより、事後的に印刷用データＤ１を呼び出して残りの部数を印刷することができる。
【０１１０】
そして、パネル制御部３０は、試し刷り後保留ボックス画面７２で、記憶部６１に登録された印刷用データＤ１の残り部数の印刷を行う操作がなされたか否か（残り部数の印刷実行指示があったか否か）の確認を続ける（ステップ♯１４、ステップ♯１４のＮｏ→ステップ♯１４）。
【０１１１】
操作パネル３に残り部数の印刷実行指示がなされたとき、エンジン制御部２０は、印刷用データＤ１に基づいて、第１印刷速度（通常印刷モード）で、残りの部の印刷を印刷部２に行わせる（ステップ♯１５→エンド）。
【０１１２】
もし、残りの部を印刷したい印刷用データＤ１（プリントジョブ）の指定とともに、第２印刷速度で印刷を行う設定がなされたとき、エンジン制御部２０は、ステップ♯１５では、第２印刷速度での印刷を印刷部２に行わせてもよい（操作パネルでのモード設定優先）。第１印刷速度での印刷が設定された場合や、別段、印刷速度に関する設定がなされなかったとき、ステップ♯１５では、第１印刷速度（通常印刷モード）で印刷がなされる。
【０１１３】
（送信ジョブを行うときのプレビュー画像の表示）
次に、図１１を用いて、本実施形態の複合機１００に係る送信ジョブ時のプレビュー画像の表示を説明する。図１１は、送信ジョブ時のプレビュー画像の表示を説明するための図である。図１２は、送信ジョブの開始により原稿Ｄが読み取られているときのプレビュー画像の表示を説明するための図である。
【０１１４】
まず、本実施形態の複合機１００は、原稿トレイ１１に載置された原稿Ｄを読み取って得られた画像データに基づき、コンピューター２００やＦＡＸ装置３００や記憶部６１に送信を行う送信機能（送信ジョブ機能）を有する。送信ジョブを行うには、まず、使用者は、操作パネル３に設けられた送信キー３３ｂを押す。パネル制御部３０は、送信キー３３ｂが押されたことを認識すると、表示部３１に送信機能の設定用の画面を表示させる。
【０１１５】
そして、パネル制御部３０は、送信機能の設定用の画面での、送信を行う相手先の宛先情報（アドレスやＦＡＸ番号など）の入力を受け付ける。また、パネル制御部３０は、送信機能の設定用の画面で、送信機能に関する設定項目を選択する入力を受け付ける。使用者により設定項目の選択操作がなされると、パネル制御部３０は、設定項目の設定画面を表示部３１に表示させる。
【０１１６】
多数の設定項目があり、例えば、送信機能用として送信する画像データのファイル形式の設定や、送信サイズ選択や、原稿サイズ選択や、拡大／縮小や、濃度設定や、送信する画像データの色選択（カラー、モノクロ設定）などのような設定項目がある。送信機能に関し、選択可能な設定項目（機能）や設定値は多数に及ぶので、各設定項目の詳細については、特に説明をする場合を除き、省略する。
【０１１７】
図１１は、送信する画像データのファイル形式の設定項目の設定画面７３を示している。このように、各設定項目には、設定画面が用意される。設定項目の設定画面には、設定値を定めるための設定値キーなどが配される。
【０１１８】
このように、操作パネル３（パネル制御部３０）は、送信先や送信に関する設定項目の設定値の設定など、送信ジョブに関する設定を受け付ける。主制御部６は、操作パネル３と通信を行い、操作パネル３になされた設定の内容を認識する。そして、主制御部６は、使用者の設定内容に基づいた原稿読み取りを原稿読取部１に行わせ、画像処理部６４に設定に応じた画像データを生成させ、通信部６２から設定された宛先に画像データを送信させる。
【０１１９】
そして、本実施形態の複合機１００では、読み取った原稿Ｄに基づき、送信ジョブで送信される画像データの仕上がりイメージ（第２プレビュー画像ｉ２）を表示部３１に表示させることができる。これにより、どのような内容の画像データが送信されるか、送信開始前に、確認することができる。
【０１２０】
図１１に示すように、各設定項目の設定画面には、第２プレビュー画像ｉ２を表示させるための第２プレビュー画像表示領域７３ａが設けられる。そして、図１１の上方の図に示すように、第２プレビュー画像ｉ２の表示前では、第２プレビュー画像表示領域７３ａ内にプレビューキーＫ５が表示される。プレビューキーＫ５は、第２プレビュー画像ｉ２の表示を指示するためのものである。
【０１２１】
第２プレビュー画像ｉ２の表示の流れを説明する。送信ジョブの実行開始前、パネル制御部３０は、プレビューキーＫ５の表示位置へのタッチ操作を、第２プレビュー画像ｉ２を表示させる旨の指示（プレビュー表示指示、内容確認入力）として認識する（受け付ける）。
【０１２２】
プレビュー表示指示がなされた旨がパネル制御部３０から伝達され、主制御部６は、原稿読取部１に原稿Ｄの読み取りを行わせる。原稿トレイ１１に載置された複数枚の原稿Ｄの読み取りでは、原稿読取部１は、送信ジョブの最初の１ページ分の原稿Ｄの読み取りを行う。
【０１２３】
原稿Ｄの読み取りにより生成された画像データは、記憶部６１に記憶される。そして、原稿読取部１から出力された画像データは、表示部３１で表示するには画素数が多すぎる。そこで、画像処理部６４は、表示部３１で第２プレビュー画像ｉ２を表示するためのプレビュー用画像データを生成する。このとき、画像処理部６４は、操作パネル３でなされた設定を反映したプレビュー用画像データを生成する。そして、図１１の下方に示すように、パネル制御部３０は、プレビュー用画像データに基づき、第２プレビュー画像表示領域７３ａ内に、第２プレビュー画像ｉ２を表示させる。
【０１２４】
第２プレビュー画像ｉ２の内容で問題がなければ（使用者が意図する内容であれば）、スタートキー３５を押せばよい。スタートキー３５が押されると、主制御部６は、原稿読取部１に原稿Ｄの読み取りを継続させる（原稿読取部１に送信ジョブを行わせる）。
【０１２５】
第２プレビュー画像ｉ２をみて、使用者が意図する内容でなければ、使用者は、第２プレビュー画像表示領域７３ａに設けられた中止キーＫ６の表示位置をタッチする（図１１の下方の図参照）。中止キーＫ６は、第２プレビュー画像ｉ２の表示に伴い、プレビューキーＫ５に置き換えて表示される。また、操作パネル３にハードキーとして設けられたストップキー３５ａを押してもよい（図３参照）。パネル制御部３０は、これらの操作をプレビュー終了指示として受け付ける。
【０１２６】
プレビュー終了指示がなされると、パネル制御部３０は、送信ジョブの設定用の画面を表示部３１に表示させる。そして、使用者は、設定すべき設定項目について設定を行う。そして、設定を変更した後、プレビューキーＫ５の表示位置がタッチされると、パネル制御部３０は、変更後の設定内容に応じた第２プレビュー画像ｉ２を表示部３１に表示させる。
【０１２７】
また、スタートキー３５が押され、送信ジョブが開始されると（原稿Ｄの読取が開始されると）、パネル制御部３０は、読み取った原稿Ｄに基づき、送信ジョブで送信される画像データの各ページの仕上がりイメージ（第２プレビュー画像ｉ２）を表示するプレビュー表示画面７４を自動的に表示部３１に表示させる（図１２参照）。パネル制御部３０は、原稿Ｄの読み取りの進展にあわせ、プレビュー表示画面７４で、ページ順に第２プレビュー画像ｉ２を切り替え表示させる。この場合も、画像処理部６４は、操作パネル３でなされた設定を反映したプレビュー用画像データをページ順に生成する。して、パネル制御部３０に生成したプレビュー用画像データが送信される。パネル制御部３０は、順次、受信する各ページのプレビュー用画像データに基づき、スライドショー的に、第２プレビュー画像ｉ２を表示部３１に表示させる。これにより、生成され、送信される画像データの内容を確認することができる。このとき、パネル制御部３０は、中止キーＫ７を表示部３１に表示させる。中止キーＫ７の表示位置がタッチされると、主制御部６は原稿読取部１に送信ジョブを中止させる。
【０１２８】
（送信ジョブ開始前の第２プレビュー画像ｉ２の表示の有無に応じた読取速度制御）
次に、図１３を用いて、送信ジョブ開始前に第２プレビュー画像ｉ２を表示させたか否かに応じた読取速度制御の流れを説明する。図１３は、第２プレビュー画像ｉ２の表示の有無に応じた読取速度制御の流れを示すフローチャートである。尚、原稿Ｄの読取速度を変化させる制御は、原稿トレイ１１に載置された複数枚の原稿Ｄを連続して読み取る場合に適用される。
【０１２９】
本実施形態の複合機１００では、送信ジョブ（スキャンジョブ）のとき、高速の第１読取速度で読み取るか、低速の第２読取速度で読み取るかを操作パネル３で設定することができる。言い換えると、通常読取モードで読み取るか、静音読取モードで読み取るかを設定できる。尚、読取速度に関する設定が別段なされない場合、第１読取速度で読取、送信がなされる。
【０１３０】
そして、以下の説明は、第１読取速度で読取を行う場合（第１読取速度での読取が設定された場合や、別段、読取速度に関する設定がなされなかったとき）に関する。尚、第２読取速度で読取を行う設定がなされたとき、第２読取速度での読取が行われる。
【０１３１】
そのため、図１３のスタートは、送信ジョブの実行指示がなされ、第２読取速度での読み取りが設定されずに送信ジョブを開始する時点である。
【０１３２】
主制御部６は、パネル制御部３０と通信し、実行しようとする送信ジョブは、実行指示前に（設定開始からスタートキー３５が押されるまでの間に）第２プレビュー画像ｉ２の表示がなされたか否かを確認する（ステップ♯２１）。
【０１３３】
もし、送信ジョブの開始前に、第２プレビュー画像ｉ２を表示していれば（ステップ♯２１のＹｅｓ）、主制御部６は、原稿読取部１（原稿搬送制御部１０ｂ、読取制御部１０ａ）に第２プレビュー画像ｉ２を表示した送信ジョブの原稿Ｄの読み取りであることを通知する。この通知を受け、原稿読取部１は全ての原稿Ｄを第１読取速度（通常読取モード）で読み取る（ステップ♯２２→エンド）。送信ジョブ開始前に、第２プレビュー画像ｉ２を確認したのであれば、仕上がりが確認されており、設定漏れや設定ミスの可能性が低いと推測できるため、最初から（１ページ目から）高速で読取を行う。
【０１３４】
一方、送信ジョブ開始前に、第２プレビュー画像ｉ２を表示していなければ（ステップ♯２１のＮｏ）、主制御部６は、原稿読取部１（原稿搬送制御部１０ｂ、読取制御部１０ａ）に第２プレビュー画像ｉ２を表示していない送信ジョブであることを通知する。そして、原稿読取部１は、まず、第２読取速度（静音読取モード）で原稿Ｄの読取を行う（ステップ♯２３）。
【０１３５】
また、主制御部６とパネル制御部３０は、第２読取速度で読み取られた原稿Ｄの画像データに基づき、第２プレビュー画像ｉ２をプレビュー表示画面７４内に表示させる（ステップ♯２４）。この場合、原稿読み取りが進むにつれて、プレビュー表示画面７４では、第２プレビュー画像ｉ２が次のページのものに順番に切り替えられる。尚、送信ジョブ開始前に第２プレビュー画像ｉ２を表示したときでも、主制御部６とパネル制御部３０は、第１読取速度で読み取られた原稿Ｄの画像データに基づき、第２プレビュー画像ｉ２を表示部３１に表示させる
【０１３６】
そして、原稿搬送制御部１０ｂや読取制御部１０ａは、第２読取速度で、最初のページから予め定められた読取枚数、原稿Ｄを読み取ったか否かを確認する（ステップ♯２５）。言い換えると、主制御部６や原稿搬送制御部１０ｂは、最初のページから読み取られた枚数が予め定められた読取枚数に到達したか否かを確認する（ステップ♯２５）。ここで予め定められた読取枚数は、任意の値である。予め定められた読取枚数は、予め定められた読取枚数の読み取りに要する時間が、原稿読み取り開始後に表示部３１に表示される第２プレビュー画像ｉ２を見て、使用者が送信ジョブで設定漏れや設定ミスがあることに気付けるような時間となる枚数とされる。そのため、予め定められた読取枚数は、１〜数枚程度でよい。
【０１３７】
予め定められた読取枚数分の第２読取速度での読取が未完了であれば（ステップ♯２５のＮｏ）、フローは、ステップ♯２３に戻る。一方、予め定められた読取枚数分の第２読取速度での読取がなされれば、原稿搬送制御部１０ｂや読取制御部１０ａは、読取速度を第１読取速度に変更する。そして、原稿読取部１は、予め定められた読取枚数の後のページから最終ページまでについては、第１読取速度で読み取りを行う（ステップ♯２６→エンド）。
【０１３８】
ここで、第２読取速度の読み取りが設定されておらず、送信ジョブ開始前に、第２プレビュー画像ｉ２を表示していないとき（プレビューキーＫ５による内容確認入力がなされていないとき）、原稿読取部１は、第２読取速度で読取を開始する。そして、原稿読取部１は、途中で読取速度を第１読取速度に変化させる。このように、本実施形態の複合機１００では、送信ジョブの途中で読取速度が変更される。
【０１３９】
そのため、原稿搬送制御部１０ｂは、第２読取速度で読み取りを行う枚数分、原稿トレイ１１から給紙を行わせた後、第２読取速度で読み取る最後の原稿Ｄが原稿排出トレイ４４に排出されるまで、原稿Ｄの給紙を停止させてもよい。その後、原稿読取部１は、送信ジョブの原稿Ｄの残りのページを第１読取速度で読み取る。言い換えると、読取速度の変更に備え、原稿搬送制御部１０ｂは、原稿トレイ１１からの給紙を一旦停止させる。そして、第２読取速度（静音読取モード）で読み取る原稿Ｄが全て原稿排出トレイ４４に排出されると、原稿搬送制御部１０ｂや読取制御部１０ａは、第１読取速度（通常読取モード）での原稿読み取りを原稿読取部１２の各部材に開始させる。
【０１４０】
原稿Ｄの搬送速度は決まっており、給紙位置から原稿排出トレイ４４に排出されるまでに要する搬送距離は決まっているので、原稿搬送制御部１０ｂや読取制御部１０ａは、原稿Ｄの給紙開始からの時間に基づき、原稿Ｄが排出トレイ４４に排出されたことを認識してもよい。
【０１４１】
（ポリゴンモーター２４の回転停止）
次に、図５、図１４を用いて、本実施形態に係るポリゴンモーター２４の回転停止について説明する。図１４は、ポリゴンモーター２４の回転停止を説明するためのタイミングチャートである。
【０１４２】
露光装置５１には、感光体ドラムの走査、露光のため、半導体レーザー装置（不図示）と、半導体レーザー装置からのレーザー光を反射するポリゴンミラー２４ａを回転させるためのポリゴンモーター２４が設けられる（図４参照）。ポリゴンモーター２４の回転速度は、数万ｒｐｍに及ぶため、耳障りと感ずるほどの高周波音が生ずる場合がある。
【０１４３】
従来、印刷ジョブの最終ページの用紙Ｐが排出トレイ４４に排出されるまで、エンジン制御部２０は、ポリゴンモーター２４を回転させる駆動信号の入力を続けていた（ポリゴンモーター２４の回転は続けられていた）。
【０１４４】
そのため、従来、印刷開始から印刷ジョブの最終ページの用紙Ｐが排出トレイ４４に排出されるまで、及び、排出トレイ４４への排出後、ポリゴンモーター２４が慣性により回転し続けている間、使用者が不快と感じるおそれがある音が生じている。
【０１４５】
そこで、本実施形態の複合機１００では、エンジン制御部２０は、印刷ジョブの最終ページでの走査、露光（感光体ドラムへの書き込み）が終了すると、エンジン制御部２０は、ポリゴンモーター２４の回転を停止させる。言い換えると、エンジン制御部２０は、最終ページの排出トレイ４４への用紙排出前に、ポリゴンモーター２４への駆動信号の入力を停止する。本実施形態の複合機１００は、第２印刷速度や第２読取速度でジョブを実行することがあり、高い静音性を有するところ、ポリゴンモーター２４の回転の早期停止によって、更に静音性が高められる。
【０１４６】
この点、図１４を用いて、説明する。図１４の時点Ｔ１１は、原稿読取部１での原稿Ｄの読み取り（原稿搬送や画像データの生成）が終了した時点である。コピージョブのとき、最終ページの印刷開始前に、コピージョブの対象となる原稿Ｄの束のうちの最終ページ（原稿トレイ１１に載置された原稿Ｄの最終ページ）の読み取りは終了する。尚、原稿搬送制御部１０ｂは、原稿検知センサー１０ｓの出力に基づき、給紙した原稿Ｄが最終ページであるか否かを認識できる。
【０１４７】
そして、最終ページの印刷では、排出トレイ４４に排出するまでの用紙搬送、定着、１次転写、２次転写の前に、最終ページのトナー像形成に必要な感光体ドラムの走査、露光が終了する。図１４では、Ｔ１２が最終ページのトナー像形成に必要な感光体ドラムの走査、露光の終了時点である。
【０１４８】
尚、いつの時点を最終ページの感光体ドラムの走査、露光の終了時点と扱うかは任意に定めることができる。例えば、感光体ドラムに対する走査、露光位置が、印刷ジョブの最終ページの副走査方向での最終ラインに相当する位置を超えた時点を最終ページの感光体ドラムの走査、露光の終了時点と定めることができる。また、エンジン制御部２０は、印刷ジョブの最終ページの画像データに基づき、最終ページのうち、副走査方向で最も用紙後端側でのトナーをのせるドットの位置を認識し、最終ページで露光が必要な全てのドットを走査、露光した時点（副走査方向で最も用紙後端側でのトナーをのせるドットを露光した時点）を終了時点と扱ってもよい。
【０１４９】
そして、図１４のＴ１３は、排出トレイ４４に用紙Ｐが排出される時点（印刷終了時点）を示す。図１４に示す例では、最終ページが排出トレイ４４に排出される前に、ポリゴンモーター２４は停止される。このように、エンジン制御部２０は、最終ページの感光体ドラムの走査、露光の終了時点に到ると、ポリゴンモーター２４の回転の停止を開始させ、速やかにポリゴンモーター２４から生ずる音を小さくさせる。これにより、複合機１００の静音性が高められる。
【０１５０】
（給紙タイミングの意図的なずれ）
次に、図１５を用いて、原稿読取部１での原稿Ｄの送り出し開始と、給紙部４ａからの用紙Ｐの給紙開始のずれを説明する。図１５は、原稿読取部１での原稿Ｄの送り出し開始と、給紙部４ａからの用紙Ｐの給紙開始のずれを示す図である。
【０１５１】
原稿トレイ１１からの原稿Ｄの搬送では、載置された原稿Ｄの送り出し（給紙）を開始するときに大きな音が生じやすい。また、印刷のとき、カセット内（給紙部４ａ内）の用紙Ｐの送り出し（給紙）を開始するときに大きな音が生じやすい。
【０１５２】
ここで、コピージョブのように原稿Ｄを読み取りつつ印刷を行うとき、原稿Ｄの搬送を開始する時点と、用紙Ｐの給紙を開始する時点が同じ、又は、近くなる場合がある。原稿Ｄの搬送を開始する時点と、用紙Ｐの給紙を開始する時点が近いと、大きな音が生ずる時間帯が重なり合計音量がかなり大きくなる場合がある。
【０１５３】
そこで、本実施形態の複合機１００では、複合機１００から生ずる音を抑えるため、主制御部６は、給紙部４ａから給紙を開始するタイミング（時点）と、原稿搬送部１ｂから原稿Ｄの送り出しを開始するタイミング（時点）を所定間隔以上異ならせる。これにより、用紙Ｐの送り出しが重なって複合機１００から生ずる音が大きくなることを避けることができる。本実施形態の複合機１００は、第２印刷速度や第２読取速度でジョブを実行することがあり、高い静音性を有するところ、給紙タイミングをずらすことで、更に静音性が高められる。
【０１５４】
この点、図１５を用いて説明する。図１５のうち、上方のチャートでの、Ｈｉｇｈ状態は、原稿Ｄを搬送している状態を示す。言い換えると、原稿搬送制御部１０ｂが原稿搬送用モーター１０ｍを回転させる状態である。また、Ｌｏｗ状態は、原稿Ｄを搬送していない状態を示す。言い換えると、原稿搬送制御部１０ｂが原稿搬送用モーター１０ｍを回転させていない状態である。
【０１５５】
また、図１５のうち、下方のチャートでの、Ｈｉｇｈ状態は、給紙部４ａで給紙を行っている状態を示す。言い換えると、エンジン制御部２０が給紙ローラー４１を回転させている状態である。また、Ｌｏｗ状態は、給紙部４ａで給紙を行っていない状態を示す。言い換えると、エンジン制御部２０が給紙ローラー４１を回転させていない状態を示す。
【０１５６】
本実施形態の複合機１００では、時点Ｔ１４〜Ｔ１９に示すように、エンジン制御部２０と原稿搬送制御部１０ｂは、原稿Ｄの搬送の開始の時点と、給紙開始（給紙ローラー４１の回転開始）の時点に差を持たせる。差は所定間隔以上とされる。これにより、複合機１００の静音性が高められる。
【０１５７】
（操作音量の調整）
次に、図５、図１６を用いて、印刷が行われているか否かに応じた操作パネル３での操作音の音量調整を説明する。図１６は、印刷が行われているか否かに応じた操作音量の調整を説明するための図である。
【０１５８】
まず、操作パネル３は、操作パネル３に設けられたソフトキーやハードキーに対するタッチ操作に応じ、操作音を発する発音部３８を含む（図５参照）。例えば、発音部３８は電子音を発するスピーカーである。操作音により、自己のタッチ操作が受け付けられたことを認識できる。
【０１５９】
原稿Ｄが搬送されていないときや印刷が行われていないとき、画像形成装置から生ずる音は、ほとんど無い。そのため、ジョブ未実行状態では、操作音が耳に付きやすくなる。そして、操作音の音が高いときや、操作音の音量が大きいと、使用者にうるさいと不快感を与えかねない。
【０１６０】
そこで、本実施形態の複合機１００では、原稿読取部１や印刷部２がジョブ実行していないとき、発音部３８は、ジョブを実行しているときよりも操作音を小さくする。一方、原稿読取部１や印刷部２がジョブ実行している間では、発音部３８は、ジョブを実行していないときよりも操作音を大きくする。反対に、これにより、ジョブを実行していないときに大きな操作音を鳴らし、操作音が顕著に聞こえるようにしつつ、使用者にうるさいと不快感を与えない。本実施形態の複合機１００は、第２印刷速度や第２読取速度でジョブを実行することがあり、高い静音性を有するところ、操作音の調整を行うので、尚更のこと、使用者が不快を感じない複合機１００を提供することができる。
【０１６１】
具体的に、図１６を用いて説明する。図１６のうち、上方のチャートは、操作音の大小を示す。また、下方のチャートは、原稿読み取り（原稿搬送）や、印刷（給紙や排出）のようなジョブの実行の有無を示す。Ｈｉｇｈ状態は、ジョブが行われている状態を示し、Ｌｏｗ状態は、ジョブが行われていない状態を示す。
【０１６２】
そして、図１６に示すように、パネル制御部３０は、原稿読み取りや印刷のようなジョブが実行されると、操作音量を大きなレベルとする（Ｔ２０の時点）。そして、パネル制御部３０は、ジョブが実行されている間、操作がなされると、ジョブ未実行のときよりも大きい操作音を発音部３８に出させる。パネル制御部３０は、ジョブが完了したとき（排出トレイ４４に用紙Ｐが排出されたときや、原稿Ｄの最終ページの読み取りが完了したとき）操作音量を小さなレベルとする（Ｔ２１の時点）。
【０１６３】
（印刷のモードに応じたファン２６の回転制御）
次に、図５、図１７を用いて、印刷のモードに応じたファン２６の回転制御を説明する。図１７は、印刷のモードに応じたファン２６の回転制御を説明するための図である。
【０１６４】
まず、本実施形態の複合機１００には、冷却、放熱や機内の空気循環などのため、１又は複数のファン２６が設けられる（図５参照）。ファン２６は、空気の吸入、排出を行う。ファン２６は、複合機１００の背面や側面のカバーに面するように、あるいは、機内の奥部に設けられる。
【０１６５】
エンジン制御部２０は、ファン２６の回転（回転のＯＮ／ＯＦＦ）を制御する。具体的に、エンジン制御部２０は、印刷ジョブの開始（給紙開始）に伴いファン２６を回転させ、印刷の終了（最終ページの用紙排出）、又は、印刷の終了から予め定められた冷却時間経過したのち、ファン２６の回転を停止させる。
【０１６６】
ここで、ファン２６を回転させると、風切り音や、モーターの駆動音が生ずる。そのため、ファン２６を回転させない方が、画像形成装置から生ずる音の大きさを抑えることができる。そこで、本実施形態の複合機１００では、エンジン制御部２０は、通常印刷モードで印刷したときと、静音印刷モードで印刷したときとで、各ファン２６を停止させる時点を異ならせる。
【０１６７】
具体的にファン２６は、静音印刷モードで印刷したとき、通常印刷モードで印刷したときよりも早い時点で停止する。この点、図１７を用いて説明する。まず、図１７でのＴ２２は、印刷ジョブを開始する時点（用紙Ｐの給紙の開始時点）である。本実施形態では、印刷ジョブの開始からファン２６を回転させる例を説明するが、印刷開始から予め定められた時間が経過した後、ファン２６の回転が開始されてもよい。
【０１６８】
そして、図１７のＴ２３は、印刷ジョブの完了（排出トレイ４４への印刷ジョブでの最終ページの排出）の時点を示している。そして、エンジン制御部２０は、静音印刷モードで印刷したとき、実行とたモードの趣旨に応じ、複合機１００から生ずる音をできるだけ速やかに小さくするため、通常印刷モードで印刷したときよりも、早くファン２６を停止させる。言い換えると、エンジン制御部２０は、静音印刷モードでの印刷ジョブの終了からファン２６を停止させるまでの時間を、通常読取モードでの印刷ジョブの終了からファン２６を停止させるまでの時間よりも短くする。図１７では、Ｔ２４は静音印刷モードで印刷したときにエンジン制御部２０がファン２６を停止させる時点を示し、Ｔ２５は通常印刷モードで印刷したときにエンジン制御部２０がファン２６を停止させる時点を示す。
【０１６９】
これにより、静音印刷モードでは、ジョブを行うことにより生ずる音をできるだけ抑えるというモードの趣旨に基づき、ファン２６を停止させることができる。また、通常印刷モードで印刷すると、十分に冷却や空気の循環を行うことができる。
【０１７０】
そこで、本発明に係る画像形成装置（複合機１００）は、ジョブを実行するジョブ実行部（原稿読取部１、印刷部２）と、使用者の設定入力と、実行しているジョブの中止を受け付ける操作部（操作パネル３）と、外部とデータの通信を行うための通信部６２を備え、実行されるジョブの内容を確認するための入力である内容確認入力を受け付ける入力部と、を含み、ジョブ実行部は、内容確認入力が入力部に入力されていないジョブを実行するとき、最初から予め定められた枚数まで、内容確認入力が入力部に入力されたジョブを実行するときよりも遅い速度でジョブを実行し、予め定められた枚数以降では、内容確認入力が入力部に入力されたジョブと同じ速度でジョブを実行することとした。
【０１７１】
これにより、内容確認がされず、設定漏れがある可能性があるジョブでは、ジョブの実行開始当初は遅い速度でジョブが実行される。従って、開始からなされたジョブの量が少ない時点で、設定漏れや設定ミスのあるジョブを中止することができる。言い換えると、実行されたジョブの量が少ない時点で、使用者が意図する内容と異なるジョブが実行されていることを気付き、中止することができる。従って、設定漏れや設定ミスのあるジョブを実行しても、用紙Ｐ、電力、時間の無駄は、常に高速でジョブを実行するときに比べ、少なくて済む。一方、内容確認入力がなされ、問題ないと確認されたジョブでは、高速にジョブが実行される。しかも、内容確認がなされないままジョブが実行された場合でも、ジョブの実行結果の一部を見ることで使用者が問題ないと確認したと推測できる時点で、ジョブの実行速度が自動的に高速化される（通常の速度に変更される）。これにより、画像形成装置（複合機１００）に、高い生産性（高速なジョブ実行性能）も、持たせることができる。
【０１７２】
又、用紙Ｐを搬送して用紙Ｐに印刷を行う印刷部２と、載置された原稿Ｄを１枚ずつ自動的に搬送し原稿Ｄを読み取って画像データを生成する原稿読取部１をジョブ実行部として含み、操作部（操作パネル３）は、表示部３１を含み、原稿読取部１が読み取った原稿Ｄの画像データと操作部になされた設定内容に基づいて印刷を行うコピージョブの実行指示を受け付けるとともに、プレビュー表示指示を内容確認入力として受け付け、操作部がプレビュー表示指示を受け付けたとき、原稿読取部１は原稿Ｄの読み取りを行い、表示部３１は、コピージョブの実行開始前に原稿読取部１が読み取った原稿Ｄの画像データと操作部になされた設定内容に基づいてコピージョブの実行結果を示す第１プレビュー画像ｉ１を表示し、印刷部２は、実行指示がなされたとき、第１プレビュー画像ｉ１を表示したジョブについては全ページを第１印刷速度で印刷し、第１プレビュー画像ｉ１を表示していないジョブについては、最初から予め定められた印刷枚数を第２印刷速度で、残りのページを第１印刷速度で印刷し、第１印刷速度は、第２印刷速度よりも速いこととした。
【０１７３】
これにより、コピージョブを行うとき、最初から予め定められた印刷枚数（１〜数枚）が印刷される間では、遅い速度で印刷がなされる。そのため、開始からの印刷量（印刷された枚数）が少ない時点で、設定漏れや設定ミスのあるジョブを中止することができる。言い換えると、コピージョブ開始からの出力枚数が少ない時点で、使用者が意図する内容と異なるコピージョブが実行されていることに気付き、中止させることができる。従って、設定ミスや設定漏れのあるコピージョブを実行しても、用紙Ｐ、電力、時間の無駄は、第１印刷速度のみでジョブを実行するときに比べ、少なくて済む。尚、「予め定められた印刷枚数」は、１〜数枚程度でよい。また、第１プレビュー画像ｉ１の表示を行われて内容が確認されたジョブでは、高速にジョブが実行される。しかも、内容確認がなされないままジョブが実行されても、ジョブの実行結果の一部をみて使用者が問題ないと確認したと推測できる時点で、ジョブの実行速度が自動的に高速化される（第１印刷速度に変更される）。これにより、画像形成装置（複合機１００）に、高い生産性（高速な印刷性能）も、持たせることができる。
【０１７４】
又、用紙Ｐを搬送して用紙Ｐに印刷を行う印刷部２をジョブ実行部として含み、通信部６２は、外部から送信された印刷内容を示すデータと印刷での設定データを含む印刷用データＤ１を受信し、印刷部２は、受信した印刷用データＤ１に基づく印刷ジョブにおいて、最初に印刷する１部を第２印刷速度で印刷を行い、２部以降では第１印刷速度で印刷を行い、第１印刷速度は第２印刷速度よりも速いこととした。
【０１７５】
これにより、プリントジョブ（複合機１００をプリンターとして用いるジョブ）を行ううえで、試しに印刷される１部目は、遅い速度で印刷がなされる。従って、１部目は遅い速度で印刷が行われるので、設定ミスや設定漏れのあるプリントジョブを試し刷り印刷中に中止できる場合が多くなる。また、複数部の全てを印刷する前に、設定漏れや設定ミスのあるプリントジョブを中止することができる。言い換えると、印刷された枚数が少ない時点で、使用者が意図する内容と異なるプリントジョブが実行されていることを気付き、中止させることができる。そのため、設定漏れや設定ミスのあるジョブの実行による用紙Ｐ、電力、時間の無駄が抑えられる。また、試し刷り印刷後の２部目以降では、高速にプリントジョブが実行される。従って、試し刷り印刷をみて問題ないと確認されている状態では、ジョブの実行速度が自動的に高速化される（第１印刷速度に変更される）。これにより、画像形成装置（複合機１００）に、高い生産性（高速なジョブ実行性能）も、持たせることができる。
【０１７６】
又、実施形態に係る画像形成装置（複合機１００）は、データを記憶する記憶部６１を含み、記憶部６１は、試し刷りの設定がなされた印刷用データＤ１を登録し、操作部（操作パネル３）は、記憶部６１に登録された印刷用データＤ１を印刷する指示である保留データ印刷指示を受け付け、印刷部２は、通信部６２が試し刷りの設定がなされた印刷用データＤ１を受信したとき、受信した印刷用データＤ１に基づき第２印刷速度で１部目を印刷し、操作部が保留データ印刷指示を受け付けると、保留データ印刷指示に対応する印刷用データＤ１に基づき、第１印刷速度で２部目以降の印刷を行うこととした。これにより、１部目で一旦印刷用データＤ１に基づく印刷が停止される。従って、複数部の全てが、使用者が意図しない内容で印刷されない。言い換えると、無駄な印刷は、最も多くても複数部のうち１部までに止められる。そのため、設定漏れや設定ミスのあったジョブの実行による用紙Ｐ、電力、時間の無駄が抑えられる。
【０１７７】
原稿Ｄや用紙Ｐの送り出しのとき、ローラーの回転開始や、紙同士の擦れなどにより大きな音が生ずる場合がある。そこで、印刷部２は、用紙Ｐを供給する給紙部４ａを含み、給紙部４ａと原稿搬送部１ｂは、異なるタイミングで用紙Ｐと原稿Ｄの送り出しを開始することとした。ジョブの開始当初、ジョブの実行速度を落とすことで画像形成装置（複合機１００）の静音性が高いところ、原稿Ｄと用紙Ｐの送り出しが重なり、画像形成装置から生ずる音が大きくなることを避け、更に静音性を高めることができる。
【０１７８】
又、排熱や冷却などの各種の理由により、画像形成装置（複合機１００）には、空気の吸入、排出を行うファン２６が設けられる。そして、本実施形態の画像形成装置は、印刷動作時に回転させるファン２６を含み、印刷部２は、予め定められた第１印刷速度で印刷を実行する通常モードと、第１印刷速度よりも遅い第２印刷速度で印刷する静音モードを有し、操作部（操作パネル３）は、通常モードで印刷を行うか、静音モードで印刷を行うかのモード設定を受け付け、印刷部２は、モード設定がなされたとき設定されたモードに応じた速度で印刷を行うとともに、モード設定がなされず印刷が実行されたとき通常モードで印刷を行い、ファン２６は、静音モードで印刷するとき、通常モードで印刷するときよりも早い時点で停止することとした。これにより、静音読取モードで画像形成装置から生ずる音を更に小さくすることができる。
【０１７９】
又、操作部（操作パネル３）は、使用者によるタッチ操作の操作音を発する発音部３８を含み、発音部３８は、ジョブ実行部（原稿読取部１、印刷部２）がジョブ実行中の操作音を、ジョブ実行部がジョブを実行していないときよりも大きくすることとした。これにより、ジョブが実行されていないとき、操作音の音量を抑え、使用者に不快感を与えることを防ぐ。一方で、ジョブを実行しているときに大きな操作音を鳴らし、操作音が顕著に聞こえるようにしつつ、使用者にうるさいと不快感を覚えさせない。
【０１８０】
感光体ドラムの走査、露光を行うためのポリゴンモーター２４は、高速で回転する。そのため、ポリゴンモーター２４を回転させると、高周波音が生じる。そのため、ポリゴンモーター２４は、使用者にとって耳障りでうるさいと感じさせる音の発生源となり得る。そして、従来、ポリゴンモーター２４は、最終ページが機外に排出されるまで回転させていた（最終ページの排出までポリゴンモーター２４を回転させる駆動信号の入力が続けられていた）。そこで、印刷部２は、画像データに基づき走査、露光を行って感光体ドラムに静電潜像を形成する露光装置５１を含み、トナー像を形成する画像形成部５ａを備え、露光装置５１は、ポリゴンミラー２４ａを回転させるポリゴンモーター２４を含み、ポリゴンモーター２４は、印刷の最終ページの印刷に必要な走査、露光が完了すると、停止し始めることとした。これにより、従来よりも早くポリゴンモーター２４の回転停止を開始して、画像形成装置（複合機１００）から生ずる音の大きさを抑えることができる。また、使用者にうるさいと不快感を与えないようにすることができる。
【０１８１】
又、本実施形態の画像形成装置は、載置された原稿Ｄを１枚ずつ自動的に搬送し原稿Ｄを読み取って画像データを生成する原稿読取部１をジョブ実行部として含み、操作部（操作パネル３）は、表示部３１を含み、原稿読取部１が読み取った原稿Ｄの画像データと操作部になされた設定内容に基づく送信ジョブの実行指示と、プレビュー表示指示を内容確認入力として受け付け、操作部がプレビュー表示指示を受け付けたとき、原稿読取部１は原稿Ｄの読み取りを行い、表示部３１は、送信ジョブの実行開始前に原稿読取部１が読み取った原稿Ｄの画像データと操作部になされた設定内容に基づいて送信される画像データの内容を示す第２プレビュー画像ｉ２を表示し、操作部が送信ジョブの実行指示を受け付けたとき、表示部３１は、原稿読取部１が読み取った原稿Ｄの画像データと操作部になされた設定内容に基づいて第２プレビュー画像ｉ２を表示し、原稿読取部１は、送信ジョブの実行開始前に第２プレビュー画像ｉ２を表示した送信ジョブについては全ページを第１印刷速度で原稿Ｄを読み取り、送信ジョブの実行開始前に第２プレビュー画像ｉ２を表示していない送信ジョブについては、最初から予め定められた読取枚数を第２読取速度で、残りのページを第１読取速度で原稿Ｄを読み取り、第１読取速度は、第２読取速度よりも速いこととした。これにより、原稿Ｄの読み取りが始まって当初の段階では、原稿Ｄの読取速度を抑えられる。従って、使用者が意図する内容と異なる内容で画像データが送信されると気付き、中止する時点では、原稿Ｄの読み取り枚数は少なくて済む。従って、設定ミスや設定漏れのあった送信ジョブの実行による生ずる電力、時間の無駄は極力抑えられる。また、当初は原稿Ｄの搬送速度が遅くても、第２プレビュー画像ｉ２をみて使用者が問題ないと確認したと推測できる時点で、原稿Ｄの読取速度が自動的に高速化される（第１読取速度に変更される）。これにより、画像形成装置（複合機１００）に、高い生産性（高速な原稿読取性能）を、持たせることができる。尚、「予め定められた読取枚数」は、１〜数枚程度でよい。
【０１８２】
本発明の実施形態を説明したが、本発明の範囲はこれに限定されるものではなく、発明の主旨を逸脱しない範囲で種々の変更を加えて実施することができる。
【産業上の利用可能性】
【０１８３】
本発明は、操作パネルのような操作部と、印刷部や原稿読み取りを行う原稿読取部を含む画像形成装置に利用可能である。
【符号の説明】
【０１８４】
１００  複合機（画像形成装置）          １      原稿読取部（ジョブ実行部）
１ｂ    原稿搬送部（原稿読取部）        １ａ    画像読取部（原稿読取部）
２      印刷部（ジョブ実行部）          ２４    ポリゴンモーター
２４ａ  ポリゴンミラー                  ２６    ファン
３      操作パネル（操作部、入力部）    ３１    表示部
３８    発音部                          ４ａ    給紙部（印刷部）
４ｂ    搬送部（印刷部）                ４ｃ    排出搬送部（印刷部）
４ｄ    両面搬送部（印刷部）            ５ａ    画像形成部（印刷部）
５１    露光装置（印刷部）              ５ｂ    中間転写部（印刷部）
５ｃ    定着部（印刷部）                ６１    記憶部
６２    通信部（入力部）                Ｄ１    印刷用データ
ｉ２    第２プレビュー画像              ｉ１    第１プレビュー画像
【図１】
2014216858.tif 000003
【図２】
2014216858.tif 000004
【図４】
2014216858.tif 000005
【図５】
2014216858.tif 000006
【図６】
2014216858.tif 000007
【図７】
2014216858.tif 000008
【図８】
2014216858.tif 000009
【図９】
2014216858.tif 000010
【図１０】
2014216858.tif 000011
【図１１】
2014216858.tif 000012
【図１２】
2014216858.tif 000013
【図１３】
2014216858.tif 000014
【図１４】
2014216858.tif 000015
【図１５】
2014216858.tif 000016
【図１６】
2014216858.tif 000017
【図１７】
2014216858.tif 000018
【図３】
2014216858.tif 000019
【手続補正書】
【提出日】平成26年4月11日(2014.4.11)
【手続補正１】
【補正対象書類名】特許請求の範囲
【補正対象項目名】請求項９
【補正方法】変更
【補正の内容】
【請求項９】
載置された原稿を１枚ずつ自動的に搬送し原稿を読み取って画像データを生成する原稿読取部を前記ジョブ実行部として含み、
前記操作部は、表示部を含み、前記原稿読取部が読み取った原稿の画像データと前記操作部になされた設定内容に基づく送信ジョブの実行指示と、プレビュー表示指示を前記内容確認入力として受け付け、
前記操作部が前記プレビュー表示指示を受け付けたとき、
前記原稿読取部は原稿の読み取りを行い、
前記表示部は、送信ジョブの実行開始前に前記原稿読取部が読み取った原稿の画像データと前記操作部になされた設定内容に基づいて送信される画像データの内容を示す第２プレビュー画像を表示し、
前記操作部が送信ジョブの実行指示を受け付けたとき、
前記表示部は、前記原稿読取部が読み取った原稿の画像データと前記操作部になされた設定内容に基づいて前記第２プレビュー画像を表示し、
前記原稿読取部は、送信ジョブの実行開始前に前記第２プレビュー画像を表示した送信ジョブについては全ページを第１読取速度で原稿を読み取り、送信ジョブの実行開始前に前記第２プレビュー画像を表示していない送信ジョブについては、最初から予め定められた読取枚数を第２読取速度で、残りのページを前記第１読取速度で原稿を読み取り、
前記第１読取速度は、前記第２読取速度よりも速いことを特徴とする請求項１乃至８の何れか１項に記載の画像形成装置。
【手続補正２】
【補正対象書類名】明細書
【補正対象項目名】０１８１
【補正方法】変更
【補正の内容】
【０１８１】
又、本実施形態の画像形成装置は、載置された原稿Ｄを１枚ずつ自動的に搬送し原稿Ｄを読み取って画像データを生成する原稿読取部１をジョブ実行部として含み、操作部（操作パネル３）は、表示部３１を含み、原稿読取部１が読み取った原稿Ｄの画像データと操作部になされた設定内容に基づく送信ジョブの実行指示と、プレビュー表示指示を内容確認入力として受け付け、操作部がプレビュー表示指示を受け付けたとき、原稿読取部１は原稿Ｄの読み取りを行い、表示部３１は、送信ジョブの実行開始前に原稿読取部１が読み取った原稿Ｄの画像データと操作部になされた設定内容に基づいて送信される画像データの内容を示す第２プレビュー画像ｉ２を表示し、操作部が送信ジョブの実行指示を受け付けたとき、表示部３１は、原稿読取部１が読み取った原稿Ｄの画像データと操作部になされた設定内容に基づいて第２プレビュー画像ｉ２を表示し、原稿読取部１は、送信ジョブの実行開始前に第２プレビュー画像ｉ２を表示した送信ジョブについては全ページを第１読取速度で原稿Ｄを読み取り、送信ジョブの実行開始前に第２プレビュー画像ｉ２を表示していない送信ジョブについては、最初から予め定められた読取枚数を第２読取速度で、残りのページを第１読取速度で原稿Ｄを読み取り、第１読取速度は、第２読取速度よりも速いこととした。これにより、原稿Ｄの読み取りが始まって当初の段階では、原稿Ｄの読取速度を抑えられる。従って、使用者が意図する内容と異なる内容で画像データが送信されると気付き、中止する時点では、原稿Ｄの読み取り枚数は少なくて済む。従って、設定ミスや設定漏れのあった送信ジョブの実行による生ずる電力、時間の無駄は極力抑えられる。また、当初は原稿Ｄの搬送速度が遅くても、第２プレビュー画像ｉ２をみて使用者が問題ないと確認したと推測できる時点で、原稿Ｄの読取速度が自動的に高速化される（第１読取速度に変更される）。これにより、画像形成装置（複合機１００）に、高い生産性（高速な原稿読取性能）を、持たせることができる。尚、「予め定められた読取枚数」は、１〜数枚程度でよい。